(57)【要約】  【課題】  記録されたコンテンツに対するチャプター分割とチャプター名付与を一度の操作で実行する。  【解決手段】  リモートコントローラ１１６のチャプター分割処理を実行するためのボタンに、チャプター名となる文言のテキストデータを対応付ける処理を行い、ボタンを操作してチャプター分割処理を実行する際に、当該ボタンに対応付けられた文言を、新たに設定されるチャプターに付与するように構成した。  文言として異なる複数の内容のものを用意し、リモートコントローラ１１６のボタンを操作する毎に順次切換選択されて、チャプター名として付与されるように構成するか、あるいはリモートコントローラ１１６の複数のボタンをチャプター分割処理用に設定して、それぞれ異なる文言を割り付けるように構成した。  【選択図】図６
2006012200.tif 000002
【特許請求の範囲】
【請求項１】
記録されたコンテンツデータに対して、部分領域を設定してこれをアクセス可能に管理情報として書き込む部分領域設定手段と、
文字列情報を保持する文字列情報保持手段と、
前記部分領域設定手段を起動して前記コンテンツデータに対して部分領域を設定すると共に、当該起動に連動して前記文字列情報保持手段から前記文字列情報を読み出して、この文字列情報を前記部分領域設定手段によって設定される領域に対応付けて前記管理情報として書き込む処理を実行する制御手段と、
を具備したことを特徴とするコンテンツ記録再生装置。
【請求項２】
前記文字列情報保持手段に対して、予め複数の文字列から選択した文字列を保持させる文字列情報登録手段を備えていることを特徴とする請求項１に記載のコンテンツ記録再生装置。
【請求項３】
前記制御手段は、前記文字列情報保持手段に保持された文字情報がそれぞれ割り付けられた複数の操作子を備え、当該操作子のいずれかの操作によって前記部分領域設定手段を起動すると共に、起動された部分領域設定手段によって設定された部分領域に前記割り付けられた文字列情報を対応付けて前記管理情報として書き込むものであることを特徴とする請求項１または２に記載のコンテンツ記録再生装置。
【請求項４】
前記制御手段は、前記部分領域設定手段を起動するための操作子を備え、当該操作子の操作によって起動される前記部分領域設定手段により前記部分領域が設定される毎に、前記文字列情報保持手段に保持された複数の文字列情報を所定の順序で選択してその設定された部分領域に対応付けて前記管理情報として書き込むものであることを特徴とする請求項１または２に記載のコンテンツ記録再生装置。
【請求項５】
記録媒体記録されたコンテンツデータに対して部分領域を設定してこれをアクセス可能に管理情報として書き込む処理を行う部分領域設定ステップを備えたコンテンツ管理方法において、
前記部分領域設定ステップを起動して前記コンテンツデータに対して部分領域を設定すると共に、当該部分領域設定ステップの起動に連動させて予め複数の文字列情報が保存された文字列情報保持手段から文字列情報を読み出し、読み出した文字列情報を前記部分領域設定ステップによって設定される領域に対応付けて前記管理情報として書き込むステップを具備したことを特徴とするコンテンツ管理方法。
【請求項６】
前記管理情報を書き込むステップは、
複数の操作子に対して前記文字列情報保持手段に保持された文字情報をそれぞれ割り付けるステップと、
前記複数の操作子のいずれかによって前記部分領域設定ステップを起動すると共に、当該部分領域設定ステップを起動した操作子に割り付けられた文字列情報を前記設定される部分領域に対応付けて前記管理情報として書き込むステップと、
を含むことを特徴とする請求項５に記載のコンテンツ管理方法。
【請求項７】
前記管理情報を書き込むステップは、
操作子の操作によって前記部分領域設定ステップを起動すると共に、前記文字列情報保持手段に保持された複数の文字情報を所定の順序で選択して前記部分領域設定ステップで設定された部分領域に対応付けて前記管理情報として書き込むステップ含むことを特徴とする請求項５に記載のコンテンツ管理方法。
【発明の詳細な説明】
【技術分野】
【０００１】
この発明は、記録媒体に記録された例えば映像データに対して、チャプターを設定するためのコンテンツ記録再生装置及びコンテンツ管理生方法に関し、特に、新規にチャプターを分割する処理と、分割されたチャプターに対するチャプター名の付与処理を簡単に行うことができるようにしたコンテンツ記録再生装置及びコンテンツ管理方法に関する。
【背景技術】
【０００２】
一般に、記録媒体として、例えばＤＶＤ（Digital Versatile Disk）あるいはＨＤＤ（Hard Disk Drive）を用いるＤＶＤレコーダのような録画再生機器においては、録画した例えば放送番組をタイトルで特定して再生することを可能とする機能を備えているが、さらにそのタイトル内において、映像内容の変移等を区別するためのチャプターという概念を用いて、特別なシーン等を検索して視聴することを可能とする機能を備えた製品も市場に提供されている。
【０００３】
チャプターは、具体的にはチャプター境界を特定する目印情報等で区切られた領域を示すものであり、録画済のプログラム（タイトル）に対しては、編集機能を用いて、そのタイトルの再生画面を見ながら、所望の位置にチャプター境界を設定することが可能である。
【０００４】
それによって、チャプター境界の前後で異なるチャプターが設定されることになる。このようにチャプター境界を新たに設定して元のチャプターの区分けをすることをチャプター分割という。
【０００５】
チャプターは、例えばタイトルの先頭方向からの昇り順の番号を付けて個々のチャプターを識別することもできるが、これはあくまで便宜的なものであって、チャプターに含まれる映像の内容を表現しておらず、検索等に用いるのに必ずしも適しているとは言えない。このため、各チャプターに対してその内容を示す名称を付すことができるように構成されている。
【０００６】
チャプター名称を付す作業手順としては、一般に、まず、チャプター分割を行い、次に目的のチャプターを選択して名前を付けるという、２段階の手順を踏むことになる。これは、ユーザの意図を充分に反映できる自由度の高い編集機能であるが、一方で操作が煩雑であるという面も持ち合わせている。
【０００７】
すなわち、ＤＶＤレコーダ等の録画再生機器においては、大きな記録容量を備えているため、例えば連続ドラマ等の複数の放送番組を数週間分撮り溜めしておくというような使い方が日常的に行われ、そのようなタイトルに対して、ユーザは手が空いたときに、まとめて編集処理を施して、真に保存しておきたいタイトルの選択と、そのタイトルのチャプター分割及びチャプター名付与処理等を実行することになる。
【０００８】
ここで、チャプター名として、同じような名前を複数のチャプターに付与することは、必ずしも稀なことではなく、むしろ頻繁に行われていると推察できる。そのような場合においても、チャプターの分割とチャプター名の付与という２段階の処理を、個々のチャプターに対して都度施さなければならず、これは操作性の点で望ましいことではない。そのため、折角の自由度の高い編集機能がその操作が面倒であるということで、敬遠され、チャプター名を付けないで済ませてしまう等、その利便性を充分に生かし切っていないという問題があった。
【０００９】
従来、例えば、特許文献１には、映像情報及び音声情報を含む複数のチャプターに文字情報を割り当てて記録する技術が開示されているが、この特許文献１においても、チャプター名を付すということが開示されているだけであり、その作業手順の簡素化については何ら記載されていない。
【特許文献１】特開２００４−５９８０号公報
【発明の開示】
【発明が解決しようとする課題】
【００１０】
以上のように、従来、記録されたコンテンツに対して、チャプターを設定してかつそのチャプターに文字情報によって名前を付与しようとすると、チャプターの分割と名前の付与という２段階の処理が必要であり、作業性が良くなかった。
【００１１】
本発明は、以上の点に考慮してなされたものであり、チャプターの分割と、名前の付与を１度の操作で行えるようにして、作業性を著しく向上させたコンテンツ記録再生装置及びコンテンツ管理方法を提供することを目的とする。
【課題を解決するための手段】
【００１２】
本発明のコンテンツ記録再生装置は、記録されたコンテンツデータに対して、部分領域を設定してこれをアクセス可能に管理情報として書き込む部分領域設定手段と、文字列情報を保持する文字列情報保持手段と、前記部分領域設定手段を起動して前記コンテンツデータに対して部分領域を設定すると共に、当該起動に連動して前記文字列情報保持手段から前記文字列情報を読み出して、この文字列情報を前記部分領域設定手段によって設定される領域に対応付けて前記管理情報として書き込む処理を実行する制御手段と、を具備したことを特徴とする。
【００１３】
本発明のコンテンツ管理方法は記録媒体記録されたコンテンツデータに対して部分領域を設定してこれをアクセス可能に管理情報として書き込む処理を行う部分領域設定ステップを備えたコンテンツ管理方法において、前記部分領域設定ステップを起動して前記コンテンツデータに対して部分領域を設定すると共に、当該部分領域設定ステップの起動に連動させて予め複数の文字列情報が保存された文字列情報保持手段から文字列情報を読み出し、読み出した文字列情報を前記部分領域設定ステップによって設定される領域に対応付けて前記管理情報として書き込むステップを具備したことを特徴とする。
【発明の効果】
【００１４】
本発明によれば、記録されたコンテンツに対して、チャプターの設定とチャプター名の付与を一度の操作で実行させることが可能となるものである。
【発明を実施するための最良の形態】
【００１５】
以下、図面を参照して、この発明のコンテンツ記録再生装置を詳細に説明する。図１は、この発明を適用したコンテンツ記録再生装置１００の一実施の形態を示す回路ブロック図である。この実施の形態では、記録媒体としてＤＶＤ−ＲＡＭ（DVD-Random Access Memory）１０１とＨＤＤ１０２の双方を取り扱うことができる装置として示しているが、ＨＤＤ１０２あるいはＤＶＤ−ＲＡＭ１０１のいずれか一方または両方を半導体メモリによる記録媒体等に置き換えてもよい。
【００１６】
図１の各ブロックを大きく分けると、図面左側には記録部の主なブロックが示され、右側には再生部の主なブロックが示されている。
【００１７】
記録部としては、まず、ビデオファイルを構築できる情報記録媒体である第１のメディアとしての光ディスク１０１を回転駆動し情報の読み書きを実行するディスクドライブ部１０３を有する。また、第２のメディアとしてのＨＤＤ１０２を駆動するＨＤＤドライブ部１０４を有する。ディスクドライブ部１０３は、光ディスク１０１に対する回転制御系、レーザ駆動系、光学系等を有する。
【００１８】
ディスクドライブ部１０３とＨＤＤドライブ部１０４は、データプロセッサ部１０５に接続されている。データプロセッサ部１０５は、ディスクドライブ部１０３及びＨＤＤドライブ部１０４に記録データを供給することができ、また、再生されたデータを受け取ることができる。
【００１９】
データプロセッサ部１０５は、記録または再生単位のデータを取り扱うもので、バッファ回路、変調・復調回路、エラー訂正回路等を含む。
【００２０】
さらに装置１００は、その記録部側に設けられたエンコーダ部１０６と、再生部側に設けられたデコーダ部１０７と、装置本体の動作を制御するマイクロコンピュータブロック（ＭＰＵ）１０８とを有し、それらを主たる構成要素としている。
【００２１】
エンコーダ部１０６は、入力されたアナログビデオ信号やアナログオーディオ信号をデジタル化するビデオ用及びオーディオ用のアナログデジタルコンバータと、デジタル化されたビデオ信号を圧縮するビデオエンコーダと、デジタル化されたオーディオ信号を圧縮するオーディオエンコーダとを有する。さらに、副映像のデータを圧縮するエンコーダも含む。
【００２２】
エンコーダ部１０６の出力は、バッファメモリ１０９を含むフォーマッタ１１０にて所定のＤＶＤ−ＲＡＭのフォーマットに変換され、データプロセッサ部１０５に供給される。
【００２３】
エンコーダ部１０６には、Ａ／Ｖ（Audio Visual）入力部１１１からの外部アナログビデオ信号と外部アナログオーディオ信号、あるいはＴＶ（Television）チューナ１１２からのアナログビデオ信号とアナログオーディオ信号が入力される。
【００２４】
なお、エンコーダ部１０６は、圧縮されたデジタルビデオ信号やデジタルオーディオ信号が直接入力されるときは、圧縮デジタルビデオ信号やデジタルオーディオ信号を直接フォーマッタ１１０に供給することもできる。さらに、エンコーダ部１０６は、アナログデジタル変換されたデジタルビデオ信号やオーディオ信号を、後述するビデオミキシング部やオーディオセレクタに直接供給することもできる。
【００２５】
エンコーダ部１０６に含まれるビデオエンコーダでは、デジタルビデオ信号をＭＰＥＧ（Moving Picture Experts Group）２またはＭＰＥＧ１規格に基づく可変ビットレートで圧縮されたデジタルビデオ信号に変換する。同様に、デジタルオーディオ信号をＭＰＥＧまたはＡＣ−３（Audio Code number 3）規格に基づく固定ビットレートで圧縮されたデジタルオーディオ信号に変換するか、あるいはリニアＰＣＭ（Pulse Code Modulation）のデジタルオーディオ信号に変換する。
【００２６】
副映像信号がＡ／Ｖ入力部１１１から入力された場合（例えば副映像信号の独立出力端子付ＤＶＤビデオプレーヤからの信号等）、あるいはこのようなデータ構成のＤＶＤビデオ信号が放送されて、それがＴＶチューナ１１２で受信された場合は、ＤＶＤビデオ信号中の副映像信号が副映像エンコーダでエンコード（ランレングス符号化）されて副映像のビットマップとなる。
【００２７】
エンコードされたデジタルビデオ信号、デジタルオーディオ信号、副映像データは、フォーマッタ１１０にてパック化され、ビデオパック、オーディオパック、副映像パックとなり、さらにこれらが集合されてＤＶＤレコーディング規格（例えばＤＶＤ−ＲＡＭ、ＤＶＤ−Ｒ：DVD-Recordable、ＤＶＤ−ＲＷ：DVD-ReWritable等に記録するために制定された規格）で規定されたフォーマットに変換される。
【００２８】
ここで図１の装置１００は、フォーマッタ１１０でフォーマット化された情報（ビデオ、オーディオ、副映像データ等のパック）と、それらの内容を特定して再生するときの指標としての機能を有する情報を含むように生成された管理情報とを、データプロセッサ部１０５を介してＨＤＤドライブ部１０４あるいはディスクドライブ部１０３に供給し、ＨＤＤ１０２あるいは光ディスク１０１に記録することができる。
【００２９】
またＨＤＤ１０２あるいは光ディスク１０１に記録された情報を再生して、データプロセッサ部１０５、ディスクドライブ部１０３を介して光ディスク１０１あるいはＨＤＤ１０２に記録することもできる。すなわち、光ディスク１０１とＨＤＤ１０２間で相互にダビングすることができる。
【００３０】
またＨＤＤ１０２あるいは光ディスク１０１に記録されている複数番組のビデオオブジェクトを、一部削除したり、異なる番組のオブジェクトを繋げたり、といった編集処理を行うこともできる。これは、本発明に係るフォーマットが取り扱うデータ単位を定義し、編集を容易にしているからである。
【００３１】
マイクロコンピュータブロック１０８は、ＭＰＵ（Micro Processing Unit）（またはＣＰＵ（Central Processing Unit））１０８ａと、制御プログラム等が書き込まれたＲＯＭ１０８ｂと、プログラム実行に必要なワークエリアを提供するためのワークＲＡＭ１０８ｃとを含んでいる。
【００３２】
マイクロコンピュータブロック１０８のＭＰＵ１０８ａは、ＲＯＭ１０８ｂに格納された制御プログラムに従い、ワークＲＡＭ１０８ｃをワークエリアとして用いて、ＤＶＤの記録領域の欠陥場所検出、未記録領域検出、録画情報記録位置設定、ＵＤＦ（Universal Disk Format）記録、ＡＶアドレス設定等を実行する。
【００３３】
またマイクロコンピュータブロック１０８は、システム全体を制御するために必要な情報処理部を有するもので、さらに機能としてのディレクトリ検出部１０８ｄと、ＶＭＧ（Video Manager）（全体のビデオ管理情報）情報作成部、コピー関連情報検知部、コピー及びスクランブリング情報処理部（ＲＤＩ：Real time Data Information）、パケットヘッダ処理部、シーケンスヘッダ処理部、アスペクト比情報処理部等を含む編集時の管理情報制御部１０８ｄ及び録画時の管理情報制御部１０８ｅを備える。本発明が特徴としている手段は、制御プログラムの形で編集時の管理情報制御部１０８ｄで実行される。
【００３４】
マイクロコンピュータブロック１０８には、表示部１１３が接続されており、ＭＰＵ１０８ａの実行結果のうち、ユーザに通知すべき内容は、表示部１１３に表示されるか、または後述するモニタのディスプレイにＯＳＤ（On Screen Display）表示される。ＯＳＤ情報は、ＧＵＩ（Graphical User Interface）形式の情報を含み、ＲＯＭ１０８ｂに保存されている文字、符号、キャラクタ等のデータを用いて、マイクロコンピュータブロック１０８で生成される。またマイクロコンピュータブロック１０８は、ユーザが操作することで、装置１００に対してその機能、動作を設定し、あるいは調整するための操作信号を与えるキー入力部１１４を有する。
【００３５】
さらにまた、マイクロコンピュータブロック１０８には、赤外線受光部１１５が接続され、リモートコントローラ１１６から送信される赤外線のリモートコントロール信号（以下リモコン信号と称す）を受信する。赤外線受光部１１５で受光されたリモコン信号は、マイクロコンピュータブロック１０８で解読され、キー入力部１１４からの操作信号と同様に、装置の機能、動作を設定し、あるいは調整をするために用いられる。
【００３６】
マイクロコンピュータブロック１０８には、ＳＴＣ（System Time Clock）１１８が接続されており、ディスクドライブ部１０３、ＨＤＤドライブ部１０４、データプロセッサ部１０５、エンコーダ部１０６及び／またはデコーダ部１０７等を制御するタイミングを、このＳＴＣ１１８からの時間データに基づいて設定し、処理することができる。録画や再生の動作は、通常はＳＴＣ１１８からのタイムクロックに同期して実行されるが、それ以外の処理はＳＴＣ１１８とは独立したタイミングで実行されてもよい。
【００３７】
デコーダ部１０７は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をＭＰＥＧデコードして非圧縮のデジタルビデオ信号に変換するビデオデコーダと、セパレータで分離された副映像データ（副映像パックの内容）をデコードするＳＰ（Sub Picture）デコーダと、セパレータで分離されたオーディオデータ（オーディオパックの内容）をデコードして非圧縮のデジタルオーディオ信号に変換するデコーダとを有するが、図１では省略している。
【００３８】
またデコードされた主映像に、デコードされた副映像を適宜合成し、主映像にメニュー、ハイライトボタン、字幕やその他の副映像を重ねて出力するビデオプロセッサを備えている。
【００３９】
デコーダ部１０７から出力されるビデオ信号は、Ｖ（ビデオ）ミキシング部１１９に入力される。Ｖミキシング部１１９では、テキストデータの合成が行われる。またＶミキシング部１１９には、ＴＶチューナ１１２やＡ／Ｖ入力部１１１からの信号がエンコーダ部１０６を介して出力されるのを直接取り込むラインも接続されている。
【００４０】
Ｖミキシング部１１９には、バッファとして用いるフレームメモリ１２０が接続されている。Ｖミキシング部１１９の出力がアナログ出力の場合はＩ／Ｆ（Interface）１２１を介して外部導出端子から外部へ出力され、デジタル出力の場合はデジタルアナログ変換器（Ｄ／Ａ）１２２を介して外部導出端子から外部へ出力されて、モニタ１２３等で表示される。
【００４１】
デコーダ部１０７から出力されるオーディオ信号は、セレクタ１２４を介してデジタルアナログ変換器（Ｄ／Ａ）１２５でアナログ変換され外部導出端子から外部に出力され、スピーカ１２６等で音声として出力される。
【００４２】
セレクタ１２４は、マイクロコンピュータブロック１０８からのセレクト信号により制御される。これによりセレクタ１２４は、ＴＶチューナ１１２やＡ／Ｖ入力部１１１からのデジタル信号を直接モニタするとき、エンコーダ部１０６をスルーした信号を直接選択することが可能である。
【００４３】
エンコーダ部１０６のフォーマッタ１１０では、録画中、各切り分け情報を作成し、定期的にマイクロコンピュータブロック１０８のＭＰＵ１０８ａへ送る処理を行なう。切り分け情報としては例えば、ＭＰＥＧのＧＯＰ（Group Of Picture）の先頭割り込み時等の情報の他、ＶＯＢＵ（Video Object Unit）のパック数、ＶＯＢＵ先頭からのＩ（Intra）ピクチャのエンドアドレス、ＶＯＢＵの再生時間等の情報が含まれる。
【００４４】
同時に、マイクロコンピュータブロック１０８の録画時の管理情報制御部１０８ｅに含まれるアスペクト情報処理部からの情報を録画開始時にＭＰＵ１０８ａへ送り、ＭＰＵ１０８ａはＶＯＢ（Video Object）ストリーム情報（ＳＴＩ：Stream Information）を作成する。ここでＳＴＩは、解像度データ、アスペクトデータ等を含み、再生時、各デコーダ部ではこの情報を元に初期設定が行われる。
【００４５】
また図１に示す装置１００においては、ビデオファイルは１ディスクに１ファイルとしている。またデータをアクセス（シーク）している間に、途切れないで再生を続けるために、最低限連続する情報単位（サイズ）を決めており、この単位をＣＤＡ（Contiguous Data Area）という。ＣＤＡサイズは、ＥＣＣ（Error Correcting Code）ブロック（１６セクタ）の倍数であり、ファイルシステムではこのＣＤＡ単位で記録を行っている。
【００４６】
データプロセッサ部１０５は、エンコーダ部１０６のフォーマッタ１１０からＶＯＢＵ単位のデータを受け取り、ＣＤＡ単位のデータをディスクドライブ部１０３あるいはＨＤＤドライブ部１０４に供給している。またマイクロコンピュータブロック１０８のＭＰＵ１０８ａは、録画時の管理情報制御部１０８ｅにより、記録したデータを再生するのに必要な管理情報を作成し、データ記録終了のコマンドを認識すると、作成した管理情報をデータプロセッサ部１０５に送る。これにより、管理情報が光ディスク１０１に記録される。
【００４７】
従って、エンコードが行われているとき、マイクロコンピュータブロック１０８のＭＰＵ１０８ａは、エンコーダ部１０６からデータ単位の情報（切り分け情報等）を受け取る。また、マイクロコンピュータブロック１０８のＭＰＵ１０８ａは、記録開始時には光ディスク１０１及びＨＤＤ１０２から読み取った管理情報（ファイルシステム）を認識し、各ディスクの未記録エリアを認識し、データ上の記録エリアをデータプロセッサ部１０５を介して各ディスクに設定している。
【００４８】
図２は、以上のように構成された、コンテンツ記録再生装置１００に適用されるリモートコントローラ１１６のボタン配列の一例を示す図面である。図に示すように、リモートコントローラ１１６は、チャプター分割画面等の編集関係の操作画面を開くためのＥＤＩＴ（編集）ボタン２０１、選択したメニューの決定やチャプター分割の実行等に使用されるＥｎｔｅｒ（決定）ボタン２０２、メニューの選択やＧＵＩ画面上の選択項目へフォーカスを当てるのに使用されるカーソル移動ボタン２０３、チャプター分割の操作画面を開かずに再生処理中にチャプター分割を実行するのに使用されるＣ．ＳＥＰ（チャプター分割）ボタン２０４、メニュー画面の呼び出し等に使用されるＦＵＮＣ（ファンクション）ボタン２０５、録画されたタイトルの再生表示に使用される再生／停止／一時停止／早送り・早戻し／スロー・逆スロー／スキップ／コマ送り等の一連のボタン群２０６及びＲｅｃ（録画）ボタン２０７等が設けられている。
【００４９】
また、通常はテレビジョン受像機のチャンネル番号の入力や、録画予約時のデータ入力等に使用される数字キーボタン群２０８も設けられている。さらにリモートコントローラ１１６には、数字キーボタン群２０８を覆う蓋部材２０９が開閉自在に設けられているが、この蓋部材２０９を省略して、数字キーボタン群２０８を剥き出しの状態とすることも可能である。
【００５０】
次に、図３を参照して、管理情報と、コンテンツである実映像データとの関係を簡単に説明する。
【００５１】
図３において、まず実映像データについて説明する。ここでは実映像データは記録メディア上で1つのファイルにまとめられているとする。１つのファイルは、１つまたは複数の実映像データストリーム３０１で構成されている。１つ１つの実映像データストリーム３０１は、例えば1回の録画処理により記録される単位であったりする。これは、例えばＤＶＤレコーディング規格におけるＶＯＢ等に相当する。
【００５２】
1つの実映像データストリーム３０１は、1つまたは複数のストリーム部分領域３０２で構成される。これは、例えばＤＶＤレコーディング規格におけるＶＯＢＵや、ＭＰＥＧ２規格におけるＧＯＰ等に相当する。１つのストリーム部分領域３０２は、複数のパックから構成される。複数のパックとは、情報パック３０３、映像パック３０４、音声パック３０５等であるが、副映像パック３０６が存在してもよい。
【００５３】
情報パック３０３は、例えばＤＶＤレコーディング規格におけるＲＤＩ（Real time Data Information）パック等に相当する。その場合、このパックには、これが属するＶＯＢＵの最初のフィールドが再生される開始時間を示す情報、当該ＶＯＢＵの記録時を示す情報、製造者情報（MNFI:MaNuFacturer Information）等を含む。また、ディスプレイ制御情報（DCI: Display Control Information）及びコピーコントロール情報（CCI: Copy Control Information）を含む。ディスプレイ制御情報は、アスペクト比情報、サブタイトルモード情報、フィルムカメラモード情報を示し、コピーコントロール情報は、コピー許可情報、またはコピー禁止（非許可）情報を含む。
【００５４】
映像パック３０４はビデオデータがＭＰＥＧ２の方式で圧縮されたもので、パックヘッダ、パケットヘッダ、ビデオデータ部で構成される。また、音声パック３０５はオーディオデータが、例えばリニアＰＣＭあるいはＭＰＥＧ、あるいはＡＣ−３等の方式で処理されたものであり、パックヘッダ、パケットヘッダ、オーディオデータ部で構成される。
【００５５】
次に、管理情報について説明する。  
管理情報の中に、実映像データの再生順序を管理する情報（再生順序情報）であるオリジナルタイトル（プログラム）情報３０７が定義されている。これは、例えばＤＶＤレコーディング規格におけるプログラム等に相当する。個々のオリジナルタイトル情報（またはプログラム情報）３０８の中には参照情報３０９が定義されており、これは再生すべき対象となる実映像データに関する情報である実映像データ情報とリンクしている。これらは、例えばＤＶＤレコーディング規格におけるセルとＶＯＢＩ等に相当する。
【００５６】
このようにオリジナルタイトル（プログラム）３０７は、再生順序を管理する情報（再生順序情報）およびそれ自身の実映像データを持ち、通常、録画時にはこのタイトルが作成される。
【００５７】
これに対し、再生順序を管理する情報（再生順序情報）のみで構成されているものもある。これがプレイリスト情報３１０であり、例えばＤＶＤレコーディング規格におけるプレイリスト等がこれに相当する。このプレイリスト情報はそれ自身の実映像データを持たず、図３に示すように、オリジナルタイトルの実映像データ情報に対してリンクしている参照情報３１１を編集（削除、追加）することでプレイリストとして作成される。
【００５８】
また、実映像データ情報３１２内にはタイムマップ情報３１３が記述されている。このタイムマップ情報３１３は、実映像データ情報３１２に対応する実映像データストリームを構成している部分領域を指定する。管理情報のオリジナルタイトル情報３０７あるいはプレイリスト情報３１０の参照情報３０９，３１１から実映像データ情報３１２へのリンクは、論理アドレスで特定されている。
【００５９】
またタイムマップ情報３１３から実映像データストリーム３０１及びその部分領域３０２へのリンクは、実映像データストリーム３０１の番号、そのストリーム内の部分領域３０２の数、個々の部分領域に対するエントリー番号、個々の部分領域への論理アドレスに基づいて行われている。
【００６０】
このような構成により、録画された映像データの通常の再生のみならず、倍速／スロー再生や逆再生のような特殊再生、さらにはシーンのサーチ等に対応することができる。
【００６１】
以下、図 ４以降の図を参照して本発明の動作を説明するが、以下の説明においては、本発明のコンテンツ記録再生装置１００は、次のような構成を取るものとしている。
【００６２】
まず、本発明のコンテンツ記録再生装置１００は、図１に示すように、ＤＶＤとＨＤＤの２つの記録メディアを備えたハイブリット録画機であり、ＤＶＤはＤＶＤ録画規格（DVD-VR規格）に基づいて録画を行うもので、ＤＶＤ−ＶＲ規格によってＤＶＤ−ＲＡＭ等へ録画する機能を有する他に、ＤＶＤビデオ規格（DVD-Video規格）に基づき、ＤＶＤ−ＲやＤＶＤ−ＲＷ等へ録画する機能をも有するものとする。さらに、ＤＶＤ及びＨＤＤ相互間でのダビングが可能である。
【００６３】
また、本発明のコンテンツ記録再生装置１００においては、録画されたタイトル内の部分領域をチャプターと呼称することとする。さらに、チャプターは、タイトル内に設定されたＤＶＤ−ＶＲ規格で定義されているエントリーポイント（EP）をその境界の目印として利用している。すなわち、タイトル内に設定したＥＰとＥＰとで挟まれた区間をチャプターと呼ぶ。なお、タイトルの始点と終点については、ＥＰの有無に関わらずチャプターの境界とする。従って、タイトルの１番目のチャプターについては、その始点にＥＰが立っていないこともあり得る。
【００６４】
図４は、ＤＶＤ−ＶＲ規格で定義されているＥＰのデータ構造の概要を示す図である。  
図４において、ＥＰ４０１には、以下のデータが含まれている。まず、エントリーポイントタイプ（EP_Type）４０２には、このＥＰの種別が記述されている。具体的には、このＥＰがテキスト情報を有しているか否かの別を示している。ＤＶＤ−ＶＲ規格では、テキスト情報を有していないＥＰを“Ｔｙｐｅ_Ａ”とし、逆にテキスト情報を有しているＥＰを“Ｔｙｐｅ_Ｂ”としている。
【００６５】
次に、プレゼンテーションタイム（EP_PTM）４０３は、このＥＰが存在する位置を時間情報の形で示している。先に図３で説明した実映像データへの参照情報は、ＤＶＤ−ＶＲ規格ではセル（Cell）に相当するが、ＥＰはそのセルの中に記述される。そのため、ＥＰの位置を示す情報としては時間情報であるＥＰ_ＰＴＭのみが使用される。
【００６６】
以上のＥＰ_ＴｙｐｅおよびＥＰ_ＰＴＭは、“Ｔｙｐｅ_Ａ”/“Ｔｙｐｅ_Ｂ”いずれのＥＰも共通に有しているデータであるが、３つ目のプライマリテキスト情報（PRM_TXTI）４０４は“Ｔｙｐｅ_Ｂ”のＥＰのみが有しているデータであり、このＥＰに対して付与されたテキスト情報が収められている。
【００６７】
本発明のコンテンツ記録再生装置１００では、このＥＰが先頭に立っているチャプターに対して付与したチャプター名を収めるデータ領域という意味になる。すなわち、本発明のコンテンツ記録再生装置１００におけるチャプター名の付与とは、該チャプターの始点に位置するＥＰを“Ｔｙｐｅ_Ｂ”に変換し、チャプター名として付与された文字列のテキスト情報をＰＲＭ_ＴＸＴＩに記述することに相当する。
【００６８】
図５は、本発明のコンテンツ記録再生装置においてチャプター名付きのチャプター分割を実施する際の、モード切換処理の概要を表すフローチャートである。
【００６９】
ここでは、チャプター名付きのチャプター分割の実施方法として、２通りの手法を有しているとする。  
まず、第１の手法としては、本発明のコンテンツ記録再生装置１００をコントロールするリモートコントローラ１１６の所定の複数のボタンをチャプター分割処理を実行するボタンとして設定し、さらにそれら複数のボタンに、それぞれ異なった文言を割り付けておくというものである。それによって、チャプター分割の際に、操作するボタンをユーザが選択することにより、チャプター分割とそのボタンに割り付けられた文言によるチャプター名付与を同時に実現するものである。
【００７０】
この場合の、リモートコントローラ１１６のボタンとしては、例えば数字キーボタン群２０８を適用して、数字ボタンのそれぞれに異なる文言を割り付けることができる。しかしながら、チャプター分割処理に際して使われることのない他のボタンを適用することももちろん可能である。
【００７１】
第２の手法としては、チャプター分割に使用するリモートコントローラ１１６のボタンは１つであるものの、あらかじめチャプターに付与するチャプター名の順序を記述した順番表を作成しておき、チャプター分割を実施する都度、この順番表に記述された順序に従いチャプター名を付与していくものである。
【００７２】
この場合の、リモートコントローラ１１６のボタンとしては、チャプター分割処理を実行するために設けられているＣ．ＳＥＰボタン２０４かあるいは、チャプター分割処理をＧＵＩ画面に基づいて実行する際に操作するＥｎｔｅｒボタン２０２を適用し、それらを操作する毎に順次文言をチャプター名として付与するように構成することが可能である。しかしながら、この場合においても、チャプター分割処理に際して使われることのない他のボタンを適用することもできる。
【００７３】
図５のフローチャートは、チャプター名付きのチャプター分割の実施に当たり、これら２つの手法のうち、使用する手法を選択する処理の概要を示したものである。
【００７４】
まず、ステップＳ５０１では、前記２通りの手法のうちのいずれの手法を使用するかを判断して、処理を分岐している。分岐を判定するための条件としては様々な論理を取り得るが、ここでは、チャプター名の順序を記した順番表を使用するか否かにより処理を分岐している。順番表を使用する手法の場合はステップＳ５０２に、そうでない場合はステップＳ５０４に進む。
【００７５】
ステップＳ５０２からステップＳ５０３までは、前記チャプター名の順序を記した順番表を使用する手法を選択した場合の処理である。まず、ステップＳ５０２では、作成済みの順番表の一覧を表示している。ユーザは、チャプター名の順序を記述した順番表を、その用途に応じて、予め複数作成して用意しておくことができる。ここでは、使用する順番表をユーザが選択できるよう、既に作成済みの順番表の一覧を表示している。
【００７６】
続くステップＳ５０３では、ユーザが選択した番号の順番表を選択し、これをチャプター分割のボタンと関連付けて一連の処理を終了する。これにより、チャプター分割ボタンを操作する都度、選択された順番表に記述された文言を、順番表に記述された順序で呼び出してチャプター名として付与するための設定が完了する。
【００７７】
なお、順番表のデータは、予め作成して本発明のコンテンツ記録再生装置１００に内蔵されているＨＤＤ１０２に保持しておき、前記ステップＳ５０３でユーザが順番表の一覧から選択することで、その番号の順番表に対応する文言のテキスト情報及び文言の呼び出し順序のデータをＨＤＤ１０２から読み出して、マイクロコンピュータブロック１０８のワークＲＡＭ１０８ｃ上に展開するという形式が一般的であるが、データを最初からＲＯＭ１０８ｂ上に保持しておいてもよいし、あるいはＨＤＤ１０２に保持したままチャプター名を付与する都度ＨＤＤ１０２から読み出すという形式であってもよい。
【００７８】
一方、ステップＳ５０４からステップＳ５０５までは、リモートコントローラ１１６の複数のボタンを使用する手法を選択した場合の処理である。まず、ステップＳ５０４では、リモートコントローラ１１６の複数のボタンへの文言の割り付けパターンの一覧を表示している。
【００７９】
ユーザは、その用途に応じて、各ボタンへの文言割り付けパターンを複数作成することができる。ステップＳ５０４で、使用する割り付けパターンをユーザが選択できるよう、既に作成済みの割り付けパターンの一覧を表示している。
【００８０】
続くステップＳ５０５では、ユーザが選択した番号の割り付けパターンを選択し、その記述に従ってリモートコントローラ１１６のボタンと文言とを関連付けて一連の処理を終了する。これにより、チャプター分割の際に、ユーザが選択して押下したボタンに応じた文言を呼び出してチャプター名として付与するための設定が完了する。
【００８１】
なお、作成済みの文言割り付けパターンのデータは、本発明のコンテンツ記録再生装置１００に内蔵されているＨＤＤ１０２に保持され、前記ステップＳ５０５でユーザによりパターン番号が選択されたことにより、その番号の割り付けパターンのデータをＨＤＤ１０２から読み出して、コンピュータブロック１０８のワークＲＡＭ１０８ｃ上に展開するという形式が一般的であるが、最初からＲＯＭ１０８ｂに保持しておいてもよいし、あるいはＨＤＤ１０２に保持したまま、チャプター名を付与する都度ＨＤＤから読み出すという形式であってもよい。
【００８２】
図６は、リモートコントローラ１１６の複数のボタンを使用する手法によるチャプター名付きのチャプター分割処理の概要を示すフローチャートである。ここでは、先に図５のステップＳ５０４からステップＳ５０５までの処理により文言が割り付けられたリモートコントローラ１１６の複数のボタンを、ユーザが任意に選択して押下することにより、チャプター名付きのチャプター分割が実施される。
【００８３】
まず、ステップＳ６０１では、リモートコントローラ１１６のボタンが押下されてチャプター分割が実施された際に、チャプター境界位置に設定するＤＶＤ−ＶＲ規格のＥＰの数が上限値を超えるか否かを判定して処理を分岐している。
【００８４】
ＥＰが上限値を超える場合には、チャプター分割及びチャプター名付与の一連の処理をスキップして終了する。これはすなわち、ＥＰを上限数一杯まで既に使い切ってしまったために、チャプター分割そのものが実行不可能な場合に相当する。逆に、ＥＰが上限値を超えない場合には、ステップＳ６０２に進む。
【００８５】
次にステップＳ６０２では、チャプターの分割位置として指定された位置に、チャプター境界の目印としてＤＶＤ−ＶＲ規格のＥＰを設定する。続くステップＳ６０３では、ステップＳ６０２で設定したＥＰを“Ｔｙｐｅ_Ｂ”のＥＰとした場合に、“Ｔｙｐｅ_Ｂ”のＥＰの上限値を超えるか否かを判定して処理を分岐している。
【００８６】
“Ｔｙｐｅ_Ｂ”のＥＰの上限値を超える場合にはステップＳ６０７に分岐し、ステップＳ６０７において、前記ステップＳ６０２で設定したＥＰのタイプを“Ｔｙｐｅ_Ａ”として一連の処理を終了する。これは、チャプター分割は実行できるものの、“Ｔｙｐｅ_Ｂ”のＥＰを上限数一杯まで既に設けてしまったために、ＥＰのＰＲＭ_ＴＸＴＩへのテキスト情報の記述ができない場合、つまりチャプター名の付与ができない場合に相当する。逆に、“Ｔｙｐｅ_Ｂ”のＥＰが上限値を超えない場合には、ステップＳ６０４に進む。
【００８７】
ステップＳ６０４では、前記ステップＳ６０２で設定したＥＰのタイプを“Ｔｙｐｅ_Ｂ”とする。  
続いてステップＳ６０５では、ユーザが任意に選択して押下したリモートコントローラ１１６のボタンに割り付けられた文言のテキスト情報をロードする。先に述べたように、ユーザが選択した文言割り付けパターンをＨＤＤ１０２から読み出してマイクロコンピュータブロック１０８のワークＲＡＭ１０８ｃ上に展開するという形式が一般的であるが、最初からＲＯＭ１０８ｂ上に保持しておく形式でもよいし、あるいはＨＤＤ１０２に保持させたまま都度ＨＤＤ１０２から読み出す形式であってもよい。いずれの形式にせよ、このステップＳ６０５において、文言のテキスト情報が保持されているメディアから読み出される。
【００８８】
次にステップＳ６０６では、前記ロードした文言のテキスト情報をＥＰのＰＲＭ＿ＴＸＴＩに記述して一連の処理を終了する。
【００８９】
以上述べた一連の処理により、チャプター名付きのチャプター分割処理が実施される。
【００９０】
図７は、前記順番表を使用する手法によるチャプター名付きのチャプター分割処理の概要を示すフローチャートである。ここでは、先に図５のステップＳ５０２からステップＳ５０３までの処理により選択された順番表に基づき、チャプター名付きのチャプター分割が実施される。
【００９１】
まず、ステップＳ７０１では、チャプター分割のボタンが押下されてチャプター分割が実施された際に、チャプター境界位置に設定するＤＶＤ−ＶＲ規格のＥＰが上限値を超えるか否かを判定して処理を分岐している。ＥＰが上限値を超える場合には、チャプター分割及びチャプター名付与の一連の処理をスキップして終了する。これはすなわち、ＥＰを上限数一杯まで既に使い切ってしまったために、チャプター分割そのものが実行不可能な場合に相当する。逆に、ＥＰが上限値を超えない場合には、ステップＳ７０２に進む。
【００９２】
次にステップＳ７０２では、チャプターの分割位置として指定された位置に、チャプター境界の目印としてＤＶＤ−ＶＲ規格のＥＰを設定する。
【００９３】
続くステップＳ７０３では、ステップＳ７０２で設定したＥＰを“Ｔｙｐｅ_Ｂ”のＥＰとした場合に、“Ｔｙｐｅ_Ｂ”のＥＰの上限値を超えるか否かを判定して処理を分岐している。
【００９４】
“Ｔｙｐｅ_Ｂ”のＥＰの上限値を超える場合にはステップＳ７０７に分岐し、ステップＳ７０７において、ステップＳ７０２で設定したＥＰのタイプを“Ｔｙｐｅ_Ａ”として一連の処理を終了する。これは、チャプター分割は実行できるものの、“Ｔｙｐｅ_Ｂ”のＥＰを上限数一杯まで既に設けてしまったために、ＥＰのＰＲＭ_ＴＸＴＩへのテキスト情報の記述ができない場合、つまりチャプター名の付与ができない場合に相当する。逆に、“Ｔｙｐｅ_Ｂ”のＥＰが上限値を超えない場合には、ステップＳ８０４に進む。
【００９５】
ステップＳ７０４では、テップＳ７０２で設定したＥＰのタイプを”Ｔｙｐｅ＿Ｂ”とする。
【００９６】
続いてステップＳ７０５では、順番表に順序だてて記述された文言のテキスト情報をロードする。先に述べたように、ユーザが選択した順番表をＨＤＤ１０２から読み出してマイクロコンピュータブロック１０８のワークＲＡＭ１０８ｃ上に展開するという形式が一般的であるが、最初からＲＯＭ１０８ｂに保持しておいてもよいし、あるいはＨＤＤ１０２に保持したまま都度読み出すようにしてもよい。いずれの形式にせよ、このステップＳ７０５において、文言のテキスト情報が保持されているメディアから読み出される。
【００９７】
次にステップＳ７０６では、前記ロードした文言のテキスト情報をＥＰのＰＲＭ_ＴＸＴＩに記述して一連の処理を終了する。
【００９８】
以上述べた一連の処理により、チャプター名付きのチャプター分割処理が実施される。
【００９９】
図８から図１５までの一連の図は、チャプター名付きのチャプター分割を実施した際の、チャプター分割画面の遷移の一例を表すイメージ図であり、それぞれ例えばモニタ１２３の表示画面に表示される画像を示している。なお、各図面において、同じ表示構成部分には同一符号を付す。
【０１００】
まず、図８は、チャプター分割の処理画面を開いた状態で、一連の処理の初期状態を表した図である。このチャプター分割の操作画面８０１には、チャプター分割の位置決めの際のモニターとして使用する小画面８０２、位置決めのために処理対象のタイトルを再生したときのタイムコードを表示する小画面８０３、フォーカスを当ててチャプター分割処理を実行するＧＵＩ画面上のボタン８０４、処理対象タイトル全体のイメージを表しているバー８０５、分割の位置決めのために再生を行った際に現在の再生位置を示しているカーソル８０６及びタイトル内に存在するチャプターのサムネイル８０７等が表示されている。この例では、処理対象のタイトルは未だ複数のチャプターに分割されておらず、タイトル全体が１つのチャプターとなっているため、チャプターサムネイル８０７は１つだけ表示されている。
【０１０１】
次に図９は、このチャプター分割の処理画面で実施できる処理のメニュー画面を開いた状態を表した図である。操作画面９０１には、リモートコントローラ１１６の操作によりメニュー画面９０２が表示されている。ここでは、本発明の実施例の説明に直接関係の無いメニューは記述を省略しているが、このメニュー画面９０２の中に、チャプター名付きのチャプター分割を実施するためのメニューが表示されている。具体的には、前記リモートコントローラ１１６の複数のボタンを使用する手法のメニュー（（マルチボタンモード）と表記）と、順番表を使用する手法のメニュー（（順番表モード）と表記）の２種類である。
【０１０２】
図１０は、図９のメニュー画面９０２で、マルチボタンモードを選択したときのイメージを表した図である。操作画面１００１に、図９に示すモード選択メニュー画面９０２のマルチボタンモードに斜線で示すフォーカス１００２を当てて該モードを選択している状況が示されている。メニュー画面９０２における項目の選択は、リモートコントローラ１１６のカーソル移動ボタン２０３とＥｎｔｅｒボタン２０２によって行われるもので、カーソル移動ボタン２０３で斜線で示すフォーカス１００２を所望の選択項目に移動させてＥｎｔｅｒボタン２０２を操作する。
【０１０３】
これにより、新たなメニュー画面１００３が表示され、既に作成済みで複数個存在する、リモートコントローラ１１６のボタンへの文言割り付けパターンの一覧が表示される。ユーザは、このメニュー画面１００３に表示された割り付けパターンのうち、自分が使用するものを任意に選択する。すなわち、斜線で示すフォーカス１００４を目的のパターン番号に移動させてＥｎｔｅｒボタン２０２を操作する。
【０１０４】
このとき、本発明のコンテンツ記録再生装置の内部では、先に説明した図５のフローチャートにおけるステップＳ５０１、Ｓ５０４、Ｓ５０５の処理が行われている。
【０１０５】
一方、図１１は、順番表モードを選択したときのイメージを表した図である。ここでは、図９に示すメニュー画面９０２のうち、順番表モードにフォーカス１００２を当てて該モードを選択している。これにより、操作画面１１０１には新たなメニュー画面１１０２が表示され、既に作成済みで複数個存在する順番表の一覧が表示される。ユーザは、このメニュー画面１１０２に表示された順番表のうち、自分が使用するものを任意に選択する。
【０１０６】
すなわち、使用する順番表にフォーカス１３０３を当ててＥｎｔｅｒボタン２０２でそれを選択する。このとき、本発明のコンテンツ記録再生装置の内部では、先に説明した図５のフローチャートにおけるステップＳ５０１、Ｓ５０２、Ｓ５０３の処理が行われている。
【０１０７】
これらマルチボタンモードあるいは順番表モードのいずれかが選択された後、次に述べるようにチャプター名付きのチャプター分割が実施される。
【０１０８】
まず、図１２は、チャプター分割の位置決めのために処理対象のタイトルの再生を行なったイメージを表した図である。ここでは、操作画面１２０１に処理対象のタイトルの現在の再生位置のタイムコード１２０２が小画面８０３に表示され、また処理対象タイトル全体を表しているバー８０５の上で現在の再生位置に相当する相対的な位置にカーソル８０６が移動している。
【０１０９】
次に、図１３は、位置決めにより決定した位置においてチャプター分割を行なった際のイメージを表した図である。ここでは、ＧＵＩ形式の操作画面１３０１上に形成された分割（ＳＥＰＡＲＡＴＥ）ボタン８００４にフォーカス１３０２を当ててチャプター分割を実施したとする。先にマルチボタンモードが選択されている場合は、リモートコントローラ１１６の複数のボタンのうち、ユーザがチャプター名として付与したい文言が割り付けられているボタンを押下してチャプター分割を行なうことになる。
【０１１０】
一方、順番表モードが選択されている場合には、リモートコントローラ１１６のチャプター分割ボタン２０４あるいはＥｎｔｅｒボタンを２０２押下してチャプター分割を行なうことになる。このチャプター分割操作により、位置決めされた位置に新たにチャプター境界を設定してチャプターの分割が行なわれる。
【０１１１】
これに伴い、分割位置を始点とする新たなチャプターのサムネイル１５０３がチャプター分割の操作画面の下段に表示される。同時に、新たに設定成されたチャプターに対して付与したチャプター名をユーザが確認できるように、小画面１５０４が開いて、そこにチャプター分割と同時に付与したチャプター名が表示される。このとき、本発明のコンテンツ記録再生装置の内部では、先に説明した図６あるいは図７のフローチャートに示した処理が行われている。なお、小画面１３０４は例えば数秒間だけ開き、その間だけチャプター名を表示する形態としてもよく、あるいは、ずっとチャプター名を表示し続ける形態であっても構わない。
【０１１２】
続いて、図１４は、チャプター分割処理を継続実施するために、新たな分割位置の位置決めのために処理対象のタイトルの再生を行なったイメージを表した図である。ここでは、操作画面１４０１に処理対象のタイトルの現在の再生位置のタイムコード１４０２が小画面８０３に表示され、また処理対象のタイトル全体を表しているバー８０５の上で現在の再生位置に相当する相対的な位置にカーソル８０６が移動している。また、先に図１３でチャプター分割を行なった位置には、チャプター境界のイメージを表しているバー１４０３が表示されている。
【０１１３】
図１５は、その新たに決定した位置においてチャプター分割を行なった際のイメージを表した図である。ここでも、ＧＵＩ形式の操作画面１５０１上に形成された分割（ＳＥＰＡＲＡＴＥ）ボタン８０４にフォーカス１３０２を当ててチャプター分割を実施したとする。
【０１１４】
それによって、操作画面１５０１には、その下方に、分割位置を始点とする新たなチャプターのサムネイル１５０２が表示される。さらに、チャプター分割によって新たに設定したチャプターに対して付与したチャプター名をユーザが確認できるように、小画面１５０３が開くと共に、この小画面１５０３に、新たに付与したチャプター名が表示される。このとき、本発明のコンテンツ記録再生装置の内部では、先に説明した図６あるいは図７のフローチャートに示した処理が行われている。
【０１１５】
以上述べたようなイメージで、チャプター分割の操作画面が遷移していく。  
なお、前記順番表モードを使用した場合で、該順番表の最後まで達した後で更にチャプター分割を継続したときには、以後のチャプター分割においてはチャプター名付与を行なわない形式であってもよいし、あるいは順番表に登録された最初の文言から改めてチャプター名として付与する形式であってもよい。また、これら２つの形式をユーザが使い分けられるよう、切り換え機能を有していてもよい。
【０１１６】
また、前記マルチボタンモードあるいは前記順番表モードのいずれの場合であっても、途中でチャプター名付与を伴わないチャプター分割を実施できる仕組みを有していてもよい。例えば、マルチボタンモードの場合には、文言を割り当てない、チャプター分割のみを実施するボタンを設定することで実現可能である。また、例えば順番表モードの場合には、順番表を関連付けたボタンの他に、順番表が関連付けられていない、チャプター分割のみを実施するボタンを設定することで実現可能である。
【０１１７】
また、例えば順番表モードの場合に、今しがたチャプター名として設定した文言を、次のチャプター分割の際にもう一度繰り返して使用したり、あるいは順番表に登録された文言を、該順番表に記述された順序に囚われずに意図的に呼び出して使用したりといったような、一時的にイレギュラーな文言選択を可能とする仕組みを有していてもよい。
【０１１８】
図１６は、チャプター名として使用する文言を前もってユーザが登録する処理の概要を示すフローチャートである。
【０１１９】
まず、ステップＳ１６０１では、チャプター名として使用する文言を前もって登録するための操作画面を開く。これは、例えば「チャプター名ストック」等と名付けた操作画面であり、本実施例では図を省略しているが、タイトル名やチャプター名等を設定するための既存の操作画面と似たものと考えてよい。
【０１２０】
次にステップＳ１６０２では、チャプター名として使用する文言の文字列をユーザが入力する。
【０１２１】
続いてステップＳ１６０３では、ユーザによる文言登録処理が終了したか否かを判定して処理を分岐している。終了していない場合には、前記ステップＳ１６０２の処理を繰り返す。一方、終了した場合には、ステップＳ１６０４へ進む。
【０１２２】
ステップＳ１６０４では、ユーザが入力した文言の文字列を、本発明のコンテンツ記録再生装置１００のＨＤＤ１０２に保存して一連の処理を終了する。なお、ここでは登録された文字列のテキスト情報をＨＤＤ１０２に保存する例を示しているが、これは例えば、マイクロコンピュータブロック１０８のＲＯＭ１０８ｂの一部を不揮発性メモリとして構成して、そこに保持し続ける形態であっても構わない。
【０１２３】
なお、本発明のコンテンツ記録再生装置においては、このようにユーザが任意に登録した文言に加えて、よく使われそうな文言のテキストデータを、製品の出荷の時点であらかじめＨＤＤ等に登録しておいてもよい。
【０１２４】
図１７は、チャプターの分割を、リモートコントローラ１１６の複数のボタンを用いて行う手法（前記図９における“マルチボタンモード”）を適用するための、リモートコントローラ１１６のボタンへ文言を割り付ける操作画面の概要を表した図である。
【０１２５】
ユーザは、リモートコントローラ１１６のボタンへの文言の割り付けパターンを複数個作成することができる。
【０１２６】
図１７において、操作画面１７０１には、小画面１７０２が設けられ、現在作成中の割り付けパターンの番号が表示され、画面上、右下方には、小画面１７０３が形成されて、既に作成済みのパターンが表示されている。
【０１２７】
また、小画面１７０２の下方には、これから文言を割り付ける対象として選択されたリモートコントローラのボタン（リモコンボタン）を表示する小画面１７０４と、割り付ける文言を表示する小画面１７０５が表示されており、さらに画面上その下部に、既に割付済のリモコンボタン１７０５と割り付けられた文言１７０６で構成されるリスト１７０７が表示されている。
【０１２８】
ユーザは、文言設定用のウィンドウ１７０４，１７０５を用いて、文言を割り付けるリモコンボタンの選択と、そのボタンに割り付ける文言の設定操作を行う。
【０１２９】
リモコンボタンに割り付ける文言は、同一の文言を複数の割り付けパターンで使い回しができるよう、先に図１６のフローチャートを使用して説明した処理に従ってHDD等に登録された文言の中から、ユーザが適宜選択して設定する形態となる。
【０１３０】
ただし、登録されていない文言を新たに設定することも可能とし、その場合は、例えば文言割り付け対象のボタンに割り付ける文言を確定したときや、あるいは図１７の操作画面を閉じたときなどの適切なタイミングで、前記図１６のフローチャートの処理を実行して、新たな文言をHDDなどに登録する。
【０１３１】
図１８は、前記順番表を使用する手法（前記図９における“順番表モード”）を適用するために、チャプター名として設定する文言の順番表を作成する操作画面の概要を表した図である。
【０１３２】
ユーザは、文言の順番表を複数個作成することができる。操作画面１８０１には、小画面１８０２が設けられ、現在作成中の順番表の番号が表示されており、さらに画面上、右下方には、小画面１８０３が形成されて、既に作成済みのパターンが表示されている。
【０１３３】
また、小画面１８０２の下方には、現在作成中の順番表の順番を表示する小画面１８０４と、その順番に設定する文言を表示する小画面１８０５が表示されており、さらに画面上その下部に、既に設定済の順番１８０５と設定された文言１８０６で構成されるリスト１８０７が表示されている。
【０１３４】
ユーザは、順番表作成用のウィンドウ１８０４，１８０５を使用して、順番表への文言の登録操作を行う。順番表に登録する文言は、同一の文言を複数の順番表で使い回しができるよう、先に図１６のフローチャートを用いて説明した処理に従ってHDDなどに登録された文言の中から、ユーザが適宜選択して設定する形態となる。ただし、登録されていない文言を新たに設定することも可能とし、その場合は、例えば順番表へ登録する文言を確定したときや、あるいは図１８の操作画面を閉じたときなどの適切なタイミングで、図１６のフローチャートの処理を実行して、該新たな文言をHDDなどに登録する。
【０１３５】
以上、図面を使用して本発明の実施例を説明してきたが、本発明の内容はここに記述したものだけに拘束されるものではなく、他にも様々な形態を取り得ることは言うまでもない。
【０１３６】
例えば、上記の実施例では、リモートコントローラ１１６の複数のボタンを使用する手法あるいは前記順番表を使用する手法において、リモートコントローラ１１６のボタンに割り付ける文言あるいは順番表に登録する文言として、固定的な文字列を設定する例を示した。しかしながら、これは必ずしも固定的な文言だけに留まるものではなく、チャプター分割の操作の度にに変化していく可変的な文言や、あるいは固定的な文言と可変的な文言とを組み合わせたものであってもよい。
【０１３７】
具体的には、例えば可変的な文言のみの場合、数字を意味するワイルドカード的な文言を記述することにより、チャプター分割の都度、“１”、“２”、“３”…と順次繰り上がった番号がチャプター名として付与されるようなものであってもよい。
【０１３８】
また、例えば固定的な文言と可変的な文言とを組み合わせたものの場合、固定的な「チャプター」及び「番」という文言と、数字を意味するワイルドカード的な文言を組み合わせて記述することにより、チャプター分割の都度、“チャプター１番”、“チャプター２番”、“チャプター３番”…と推移していくようなものであってもよい。
【０１３９】
また、可変的な文言は数字を意味するワイルドカード的な文言だけに留まらず、例えば“前半”と“後半”という文言を切り換えて使用するようなものであってもよい。具体的には、「本編」、「（」及び「）」という固定的な文言と組み合わせて、最初にチャプター分割を実施したら「本編（前半）」、２度目のチャプター分割の際には「本編（後半）」というチャプター名が付与されるようなものであってもよい。
【０１４０】
さらにまた、前記順番表を使用する手法のために作成した順番表を、リモートコントローラ１１６のボタンに関連付けるだけでなく、等間隔チャプター分割と組み合わせて使用するのであってもよい。すなわち、ユーザが選択した一定の時間間隔でもって一気にチャプター分割を実施し、併せて順番表に記述された文言をチャプター名として順次付与していくという形態であっても構わない。
【０１４１】
なお、本発明で扱うコンテンツとしては、映像データはもとより、当然ながら音声のみのデータで構成されるものも含まれるものである。
【０１４２】
以上述べたように、本発明によれば、チャプター分割とチャプター名の付与の２つの処理が１回の操作で同時に実施できるため、操作性が向上する。また、チャプター名として付与する文言は本発明のコンテンツ記録再生装置の本体に登録されているため、特に同じような文言をチャプター名として使いまわす際の操作性が改善され、ユーザの利便性が向上するものである。
【図面の簡単な説明】
【０１４３】
【図１】本発明に係るコンテンツ記録再生装置の一実施の形態を示す回路構成図。
【図２】図１に示す装置に適用されるリモートコントローラの操作ボタン配列の一例を示す図。
【図３】図１に示す装置で扱われる管理情報と実映像データの関係を説明するための図。
【図４】ＤＶＤ−ＶＲ規格で定義されるエントリーポイントのデータ構造の概要を示す図。
【図５】本発明に係るコンテンツ記録再生装置におけるチャプター名付チャプター分割処理のモードを選択する処理を説明するためのフローチャート。
【図６】図５で選択された一方のモードによるチャプター名付チャプター分割処理を説明するためのフローチャート。
【図７】図５で選択された他方のモードによるチャプター名付チャプター分割処理を説明するためのフローチャート。
【図８】本発明に係るコンテンツ記録再生装置の動作を説明するための図。
【図９】本発明に係るコンテンツ記録再生装置の動作を説明するための図。
【図１０】本発明に係るコンテンツ記録再生装置の動作を説明するための図。
【図１１】本発明に係るコンテンツ記録再生装置の動作を説明するための図。
【図１２】本発明に係るコンテンツ記録再生装置の動作を説明するための図。
【図１３】本発明に係るコンテンツ記録再生装置の動作を説明するための図。
【図１４】本発明に係るコンテンツ記録再生装置の動作を説明するための図。
【図１５】本発明に係るコンテンツ記録再生装置の動作を説明するための図。
【図１６】本発明に係るコンテンツ記録再生装置において、チャプター名として使用する文言をユーザが前もって登録する処理を説明するためのフローチャート。
【図１７】図６に示す処理を実行するために、リモートコントローラの操作ボタンへ文言を割り付ける操作画面の概要を表した図。
【図１８】図７に示す処理を実行するために、チャプター名として設定する文言の順番表を作成する操作画面の概要を表した図。
【符号の説明】
【０１４４】
１００…コンテンツ記録再生装置
１０１…ディスク
１０２…ＨＤＤ
１０３…ディスクドライブ部
１０４…ＨＤＤドライブ部
１０５…データプロセッサ部
１０６…エンコーダ部
１０７…デコーダ部
１０８…マイクロコンピュータブロック
１０９…バッファメモリ
１１０…フォーマッタ
１１１…Ａ／Ｖ入力部
１１２…ＴＶチューナ部
１１３…表示部
１１４…キー入力部
１１５…赤外線受光部
１１６…リモートコントローラ
１１７…メモリ
１１８…ＳＴＣ
１１９… Ｖミキシング部
１２０…フレームメモリ部
１２１…Ｉ／Ｆ（インターフェース）
１２２…Ｄ／Ａ
１２３…モニタ
１２４…セレクタ
１２５…Ｄ／Ａ
１２６…スピーカ
【図１】
2006012200.tif 000003
【図２】
2006012200.tif 000004
【図３】
2006012200.tif 000005
【図４】
2006012200.tif 000006
【図５】
2006012200.tif 000007
【図６】
2006012200.tif 000008
【図７】
2006012200.tif 000009
【図８】
2006012200.tif 000010
【図９】
2006012200.tif 000011
【図１０】
2006012200.tif 000012
【図１１】
2006012200.tif 000013
【図１２】
2006012200.tif 000014
【図１３】
2006012200.tif 000015
【図１４】
2006012200.tif 000016
【図１５】
2006012200.tif 000017
【図１６】
2006012200.tif 000018
【図１７】
2006012200.tif 000019
【図１８】
2006012200.tif 000020